(57)【要約】      （修正有）【課題】菰樽の外観を呈する鏡開き用の酒容器であって、一度鏡開きに使用した後の再利用も可能とし、その製造も容易とするとともに、樽酒の保存に気をつかうことなく、簡易に鏡開きを行うことができる酒容器を提供する。【解決手段】酒容器１の上面以外を覆う菰２と、一体形成された中容器６と、着脱自在の蓋体８ａ，８ｂからなる。中容器６の内部には、中容器よりも容量の少ない別容器７を備える。【選択図】図１
0003162054.tif 000002
【実用新案登録請求の範囲】
【請求項１】
菰樽の外観を呈している再利用が可能な酒容器であって、前記酒容器の上面以外を覆う菰と、一体成形された中容器と、複数に分割された着脱自在の蓋体とからなる酒容器
【請求項２】
請求項１記載の酒容器であって、前記中容器よりも容量の少ない着脱自在の一体成形された別容器を備え、前記別容器は、前記中容器内部の上部に取り付けられ、前記中容器にて保持されていることを特徴とする酒容器
【考案の詳細な説明】
【技術分野】
【０００１】
本考案は、菰樽の外観を呈する鏡開き用の酒容器に関する。
【背景技術】
【０００２】
祭礼・儀式・祝い事等の行事において、菰樽に封入された樽酒を開封する鏡開き（鏡抜き）が広く行われている。
樽酒は独特の香りがあり、多くの需要があるが、樽酒の容器である菰樽は、通常は切り出した杉の木の板をタガで締めていくという手作業にて作られ、酒を詰める前に、漏れを防ぐための湯張りが必要となるなど、その製造は非常に手間のかかるものであった。
また、酒詰め後は、日増しに樽香が増していくため、酒に香りが付き過ぎて風味を損なわないよう、早めに開封する必要があり、開封後においては、その香りを味わうためには、早めに飲み切ってしまうか、別容器に詰め替えて保存する必要がある等、その取扱にも注意を要するものであった。
さらに、菰樽を開封する際には、菰に巻かれた縄を切り、菰樽上部の菰を切り取った後、バールを樽と鏡蓋との間に打ち込み、こじ開けていくという作業を繰り返し、鏡蓋を外したら、酒に浮いた木屑を取り除き、再度鏡蓋を菰樽に乗せるというように、開封準備までにも、面倒な作業が要求される。
このように、鏡開きに用いる菰樽の製造、樽酒の保存、鏡開きの準備は、大変手間のかかるものであることから、簡易に鏡開きを行える酒容器の要望があった。
そこで、菰樽の酒容器に関する技術が公開されている。
【先行技術文献】
【特許文献】
【０００３】
【特許文献１】実開平０６−０１２３３７号公報
【考案の概要】
【考案が解決しようとする課題】
【０００４】
菰樽の製造には手間がかかる上、菰樽への酒の注入前に湯張りの作業が必要になるため、樽酒製造業者が注文を受けてから出荷するまでに、ある程度の納期を要する。また、酒詰めされた菰樽の長期間の保存が困難であることから、樽酒販売業者が常に需要に応じた樽酒の在庫を維持しておくことは不可能となっていた。
そのため、急な行事の開催により、鏡開きのための樽酒が必要になった場合、早急に樽酒を入手することが困難という問題があった。
【０００５】
また、日本以外の国で樽酒を製造している国は極わずかであり、日本国外で日系企業が鏡開きを行う場合、樽酒の入手は困難であり、当該国の法令によって、酒類の輸入が制限されている場合もあることから、現地で酒を用意することとし、鏡開き用の酒容器のみを輸入したいという要望もある。
【０００６】
そして、鏡開きの準備段階として、タガを緩めたり、鏡蓋をこじ開ける等の面倒な作業が必要であり、鏡開きの際にも、鏡蓋を叩く力の加減が難しく、力を入れ過ぎて、酒が周囲に飛び散り、菰樽からこぼれ落ちたりするという問題もあり、菰樽の取扱にも注意を要するものであった。
【０００７】
鏡開き後においても、鏡蓋が割れてしまい、再利用するためには、新しい鏡蓋を用意し、タガを巻き直す必要がある上、漏れの心配があるため、基本的に使いきりであり、エンドユーザーが、開封済みの菰樽に再度酒を詰めて使用する再利用は、事実上不可能であった。
さらに、ホテル・結婚式場等においては、樽酒を多数消費することから、使用済みの菰樽の処分に困り、環境資源的観点からも問題があった。
【０００８】
そこで、本考案は、鏡開きのための酒容器と、酒保存用容器を分けることによって、樽酒の納期・保存・取扱の問題を解決するとともに、何度でも再使用可能な菰樽の酒容器を提供することを目的とする。
【課題を解決するための手段】
【０００９】
請求項１記載の酒容器は、菰樽の外観を呈している再利用が可能な酒容器であって、前記酒容器の上面以外を覆う菰と、一体成形された中容器と、複数に分割された着脱自在の蓋体とからなる。
【００１０】
菰による外装となっていることにより、周囲の者からは菰樽と認識されることとなり、蓋体が着脱自在であり、あらかじめ複数に分割されているため、極わずかの力で容易に鏡開きを行えることとなる。
そして、鏡開きの際に、別途用意しておいた樽酒を本酒容器に注ぐことにより、本酒容器で樽酒を保存しておく必要がなく、樽酒の保存に適した容器を利用することにより、適度な芳香の樽酒を提供することができる。
また、鏡開きに使用した後においても、洗浄して保管しておくことにより、次回の鏡開きの際に、そのままの形で再使用が可能である。
【００１１】
請求項２記載の酒容器は、請求項１記載の酒容器であって、前記中容器よりも容量の少ない着脱自在の一体成形された別容器を備え、前記別容器は、前記中容器内部の上部に取り付けられ、前記中容器にて保持されていることを特徴とする。
【００１２】
必要な酒量の別容器を備えることにより、容量を任意とすることができ、少ない容量であっても、容器上縁にまで樽酒を満たすことができ、樽酒を無駄に使用することを防ぐことができる。
【考案の効果】
【００１３】
本考案によれば、樽酒の納期の問題を気にすることなく、適度な芳香の樽酒を使用して、鏡開きを行うことができ、再利用可能な酒容器であることから、環境的にも優しく、鏡開きの費用を節約できる等の優れた効果を得ることができる。
【図面の簡単な説明】
【００１４】
【図１】本考案の実施の形態において、酒容器の展開図である。
【図２】本考案の実施の形態において、酒容器の正面図である。
【図３】本項案の実施の形態において、図２の断面図である。
【図４】本考案の実施の形態において、酒容器に蓋がされた状態の図である。
【図５】本考案の実施の形態において、鏡開き後の状態を示す図である。
【考案を実施するための形態】
【００１５】
以下、図面を参照しつつ、考案の実施の形態について説明する。
【００１６】
本実施の形態については、直径４０ｃｍ、高さ４０ｃｍ程度の一斗樽サイズの大きさの略円柱形状をなす酒容器であって、一斗樽（容量１８リットル）と同程度の容量をもつ中容器６と、６リットル程度の容量を持つ別容器７とを備え、蓋体８が二枚に分割されている酒容器１について説明する。
なお、本考案の実施の形態として、酒容器１を略円柱形状としているが、特に限定されるものではなく、略逆台形円柱形状等の任意の形状としても実施可能である。
また、通常の菰樽に用いられる杉樽は略逆台形円柱形状となっているが、該形状に菰を巻き、略円柱形状とするために、杉樽と菰の隙間にあんこが詰められることがあり、あんことして藁が用いられることが多いが、本実施例においては、中容器６を略円柱形状として、菰２との隙間にあんこ５として、形状の安定性、製造の安易性等を考慮して、発砲ポリスチレンを用いているが、その代替として藁を詰めることも可能である。そして、中容器６を逆台形円柱形状等の任意の形状としても実施可能であり、その場合は、あんこ５の形状を中容器６の形状に合わせることで対応する。
【００１７】
内容量についても任意であり、二斗樽、四斗樽程度のサイズとし、それらと同程度の容量とすることも可能である。また、中容器６と別容器７との容量の比率も任意であり、別容器７の内容量が中容器６の容量よりも少ない範囲で設定することができる。
本項案の実施の形態においては、別容器７を一としているが、別容器７よりもさらに容量の少ない別容器Ｂを用意し、別容器７内部の上部に取り付け、別容器７にて保持させるようにすることにより、別容器を複数とすることも可能である。
【００１８】
菰２、太縄３、及びしめ縄４の材質として、藁を用いることによって、より菰樽に似せることができるが、取扱い、寿命等を考慮して、ポリエチレン等の樹脂素材とすることも任意である。
中容器６および別容器７を一体成形からなることとして、杉樽のような湯張り作業を不要として、樽酒の漏れを防ぐことができ、再利用も可能となるが、その材質としては、樽酒に臭いをつけることがないような材質が望ましい。樹脂、ガラス、陶器、金属等の材質が使用可能である。
蓋体８については、菰樽と同じく杉材を使用し、より菰樽に似せるために、飾り栓９を接着している。蓋体８の材質についても樹脂等とすることができるが、外観上、菰２、太縄３、及びしめ縄４以外に、眼に触れる唯一の部分であるため、菰樽と同様に杉材とすることが望ましい。
【００１９】
次に、図１乃至図３を参照しつつ、本実施例の酒容器の構造について説明する。図１は酒容器の展開図であり、図２は酒容器の正面図であり、図３は酒容器の断面図である。
【００２０】
中容器６は、略円柱形状となっており、あんこ５を介して、菰２が巻かれている。菰２は中容器６の上面以外を覆い、中容器６上面は蓋体８によって覆われているため、外観上は菰樽と同様となっている。
蓋体８は、左右に二分割とした対称形状となり、一方の蓋体８ａには飾り栓９が接着される。
【００２１】
中容器６の内面上部に段差を設け、別容器７の縁が該段差に嵌合することにより、別容器７は中容器６の内部の上部に保持されることとなる。
当該別容器７を脱着することによって、必要な酒量に応じた容量の調節が可能となり、中容器６の容量一杯に酒を満たさなくとも、別容器７の容量一杯に満たすことにより、樽酒を酒容器１の上面まで満たすというようなことが可能となる。
したがって、樽酒を１８リットルも用意しなくとも、６リットル程度用意し、別容器７に注ぐことにより、酒容器１上面まで満たされ、鏡開きをした際に、蓋体８のすぐ下まで酒が満たされ、柄杓で樽酒をすくう際も、酒容器１一杯に樽酒が満たされているように周囲から見えるという効果が得られる。
【００２２】
鏡開きを行う際には、蓋体８を取り除き、別途ガラス瓶等に保存しておいた樽酒を、別容器７が装着されている場合には別容器７に、別容器７が装着されていない場合には中容器６に注ぐ。樽酒を別途その保存に適した容器にて保存しておくことにより、鏡開きの際に、適度な芳香の樽酒を味わうことが可能である。
【００２３】
次に、図４乃至図５を参照しつつ、鏡開きをする際の蓋体８の動作について説明する。図４は鏡開き前の酒容器１に蓋がされた状態を示す図であり、図５は鏡開きがされた後の状態を示す図となる。
【００２４】
鏡開きを行う前に、樽酒を中容器６又は別容器７に樽酒を満たし、蓋体８ａ及び蓋体８ｂを、中容器６上面に一枚からなる一体の蓋であるかのように揃えて置く。蓋体８の外径を中容器６上面の内径以上とすることによって、蓋体８は中容器６によって保持される。
なお、蓋体８は中容器６に特に嵌合するようにはせず、鏡開きの際に蓋を開け易くするために、中容器６の上面に置いただけの状態となる。これは酒容器１において、鏡開きの際にのみ使用し、容器を密閉状態にしておく必要がなく、樽酒を保存する機能を持たせていないために可能となるものである。
【００２５】
木槌１０を蓋体８に振り下ろすことにより、蓋体８ａと蓋体８ｂとが分離して、蓋が開くこととなるが、蓋体８ａと蓋体８ｂとは、中容器６の上面に置かれただけの状態であるため、極わずかな力で鏡開きを行うことが可能となり、無駄に樽酒を周囲に飛び散らかしたり、蓋体８が中容器６若しくは別容器７に落ちることを防ぐことができる。
【符号の説明】
【００２６】
１              酒容器
２              菰
３              太縄
４              しめ縄
５              あんこ
６              中容器
７              別容器
８ａ            蓋体１
８ｂ            蓋体２
９              飾り栓
１０            木槌
【図１】
0003162054.tif 000003
【図２】
0003162054.tif 000004
【図３】
0003162054.tif 000005
【図４】
0003162054.tif 000006
【図５】
0003162054.tif 000007